(57)【要約】【課題】ユーザーが発話するイントネーションや、方言などによる言い回しの違いがあっても、ユーザーが発話する音声に基づいて確実に操作ができる加熱調理器を提供する。【解決手段】予め操作に関わるキーワードの音声が記憶された記憶部１６と、左誘導加熱コイル１０、右誘導加熱コイル１１、中央誘導加熱コイル１２又は庫内加熱部７ａの加熱手段を操作させるキーワードの音声が音声入力部２１を通して入力されると、当該音声と記憶部１６に記憶されたキーワードの音声とが同一か識別する音声識別部２２と、音声識別部２２により同一のキーワードの音声と識別されたときに、当該キーワードに基づいて加熱手段を操作する制御部１５とを備え、制御部１５は、ユーザーが音声入力部に向けて発話したキーワードの音声を記憶部１６に記憶する。【選択図】図４
2016186367.tif 000002
【特許請求の範囲】
【請求項１】
調理容器を加熱する加熱手段と、
前記加熱手段の操作を指示する操作部と、
ユーザーの音声を入力する音声入力手段と、
前記加熱手段の操作に関わるキーワードの音声が記憶される記憶手段と、
前記加熱手段を操作させるキーワードの音声が前記音声入力手段を通して入力されると、当該音声と前記記憶手段に記憶された前記キーワードの音声とが同一か識別する音声識別手段と、
前記音声識別手段により同一のキーワードの音声と識別されたときに、当該キーワードに基づいて前記加熱手段を操作する制御手段とを備え、
前記制御手段は、前記ユーザーが前記音声入力手段に向けて発話したキーワードの音声を前記記憶手段に記憶することを特徴とする加熱調理器。
【請求項２】
前記制御手段は、前記ユーザーが前記音声入力手段に向けて発話したキーワードに対応する前記加熱手段の操作が前記ユーザーに許可されていない場合は、前記加熱手段の操作を行わないことを特徴とする請求項１記載の加熱調理器。
【請求項３】
前記記憶手段に記憶されたキーワードの音声は、同一のキーワードの音声を前記音声入力手段から複数回発話させて入手したことを特徴とする請求項１又は２記載の加熱調理器。
【請求項４】
前記制御手段は、前記音声入力手段から新たなキーワードの音声が入力されたときには、前記記憶手段に記憶されたキーワードのうち、入力されたキーワードと操作内容が同じキーワードと関連づけて前記記憶手段に記憶することを特徴とする請求項１〜３の何れか１項に記載の加熱調理器。
【発明の詳細な説明】
【技術分野】
【０００１】
本発明は、音声により加熱手段を操作する加熱調理器に関するものである。
【背景技術】
【０００２】
従来の加熱調理器として、加熱手段の操作を音声で行う場合、予め加熱調理器内に記憶させておいたキーワードとユーザーから発話されたキーワードとを照合し、双方が一致したときに、そのキーワードに基づいて加熱手段を操作するものがある（例えば、特許文献１参照）。
【先行技術文献】
【特許文献】
【０００３】
【特許文献１】特開昭５８−２２１３２７号公報
【発明の概要】
【発明が解決しようとする課題】
【０００４】
しかしながら、従来の技術では、ユーザーが発話するイントネーションや、方言などによる言い回しの違いにより、予め登録されたキーワードの音声パターンとユーザーの音声パターンとが一致しない場合があり、加熱手段を操作ができないという課題があった。
【０００５】
本発明は、前記のような課題を解決するためになされたもので、ユーザーが発話するイントネーションや、方言などによる言い回しの違いがあっても、ユーザーが発話する音声に基づいて確実に操作ができる加熱調理器を提供することを目的とする。
【課題を解決するための手段】
【０００６】
本発明に係る加熱調理器は、調理容器を加熱する加熱手段と、加熱手段の操作を指示する操作部と、ユーザーの音声を入力する音声入力手段と、加熱手段の操作に関わるキーワードの音声が記憶された記憶手段と、加熱手段を操作させるキーワードの音声が音声入力手段を通して入力されると、当該音声と記憶手段に記憶されたキーワードの音声とが同一か識別する音声識別手段と、音声識別手段により同一のキーワードの音声と識別されたときに、当該キーワードに基づいて加熱手段を操作する制御手段とを備え、制御手段は、ユーザーが音声入力手段に向けて発話したキーワードの音声を記憶手段に記憶する。
【発明の効果】
【０００７】
本発明によれば、加熱手段の操作に関わるキーワードの音声をユーザー自身の音声で登録するようにしているので、従来技術のように事前に登録されたキーワードの音声パターンにユーザーが合わせて発話する必要がない。しかも、ユーザーが発話するイントネーションや、方言などがあっても確実に加熱手段を操作することができる。
【図面の簡単な説明】
【０００８】
【図１】本発明の実施の形態１に係る加熱調理器の外観を示す斜視図。
【図２】図１の天板を外して示す加熱調理器の斜視図。
【図３】本発明の実施の形態１に係る加熱調理器の表示部及び操作部の一例を示す模式図。
【図４】本発明の実施の形態１に係る加熱調理器の基本構成を示すブロック図。
【図５】本発明の実施の形態１に係る加熱調理器の音声操作における基本動作を示すフローチャート。
【図６】本発明の実施の形態１におけるユーザー登録の動作を示すフローチャート。
【図７】本発明の実施の形態１における音声テストの動作を示すフローチャート。
【図８】本発明の実施の形態２における新規のキーワードを登録するときの動作を示すフローチャート。
【発明を実施するための形態】
【０００９】
以下、本発明に係る加熱調理器の実施の形態を図面に基づいて説明する。なお、それぞれの図面において、同じ部分または相当する部分には同じ符号を付している。
実施の形態１．
図１は本発明の実施の形態１に係る加熱調理器の外観を示す斜視図、図２は図１の天板を外して示す加熱調理器の斜視図、図３は本発明の実施の形態１に係る加熱調理器の表示部及び操作部の一例を示す模式図、図４は本発明の実施の形態１に係る加熱調理器の基本構成を示すブロック図である。
【００１０】
実施の形態１の加熱調理器１００は、図１に示すように、本体１の上部に設置された天板４を備えている。この天板４は、鍋等の調理容器９が載置可能なトッププレート２と、トッププレート２の周縁部にシリコン系接着剤等で固着された枠体３とで構成されている。トッププレート２は、非磁性体、例えば結晶化ガラスから構成され、枠体３は、例えば、ステンレスの金属で構成されている。
【００１１】
前述のトッププレート２には、調理容器９の載置位置を示す左加熱部２ａ、右加熱部２ｂ及び中央加熱部２ｃが印刷等で表示されている。また、トッププレート２の前部側には、左加熱部２ａ、右加熱部２ｂ及び中央加熱部２ｃに対応して、それぞれ表示窓２ｄが設けられている。天板４の前部側の枠体３には、後段で詳しく説明するが、左加熱部２ａ、右加熱部２ｂ及び中央加熱部２ｃに対応して上面操作部５が配置されている。
【００１２】
本体１の前面には、前面操作部６が設置されている。この前面操作部６には、加熱調理器１００の電源を入り切りする電源スイッチ６ａ、マイクである音声入力部２１（音声入力手段）等が配置されている。なお、音声入力部２１を前面操作部６に配置した例を挙げたが、音声入力部２１をトッププレート２の下方、あるいはトッププレート２上に設置してもよい。
【００１３】
また、本体１の前面には、前面操作部６に隣接してグリル・オーブン調理器７が設けられている。グリル・オーブン調理器７の操作入力は、上面操作部５から行われる。このグリル・オーブン調理器７は、魚等の被調理物を収容する前面開口の調理庫、調理庫内に配設された加熱手段の庫内加熱部７ａ（図４参照）、調理庫の前面開口を閉塞し、前方に引き出し自在に設けられた調理庫扉７ｂ等を備えている。調理庫扉７ｂには、調理庫内に出し入れ自在に収容される枠が取り付けられている。その枠には、受け皿が取り外し自在に載置され、受け皿には、焼き網が取り外し自在に設けられている。前述の庫内加熱部７ａは、例えば、輻射式のシーズヒーターが使用されている。
【００１４】
本体１内には、図２に示すように、加熱手段である左誘導加熱コイル１０、右誘導加熱コイル１１及び中央誘導加熱コイル１２が配置されている。これらの誘導加熱コイル１０、１１、１２は、天板４のトッププレート２に表示された左加熱部２ａ、右加熱部２ｂ及び中央加熱部２ｃに対向して配置されている。このように、３つの加熱部を有する加熱調理器１００を３口タイプの加熱調理器と呼ばれる。なお、本実施の形態１においては、加熱手段として、３つの誘導加熱コイルを用いたことを述べたが、これに限定されるものではない。例えば、中央加熱部２ｃの加熱手段として、輻射式のラジエントヒーターを用いてもよい。
【００１５】
また、本体１内の前部側に基板１４が設置されており、グリル・オーブン調理器７の調理庫の側方に、図示していないが、制御基板、インバーター基板、電源基板が配置されている。前述の基板１４には、左加熱部２ａ、右加熱部２ｂ及び中央加熱部２ｃに対応して、それぞれ液晶表示部１３が実装されている。３つの液晶表示部１３は、それぞれトッププレート２に設けられた表示窓２ｄの真下に位置している。この表示窓２ｄによって、液晶表示部１３の表示内容をそれぞれトッププレート２の上方から視認できる。液晶表示部１３には、例えば、ＬＣＤが用いられている。
【００１６】
なお、液晶表示部１３にＬＣＤを用いていることを述べたが、これに限定されるものではなく、例えば、有機電界発光（Ｅｌｅｃｔｒｏ  Ｌｕｍｉｎｅｓｃｅｎｃｅ：ＥＬ）素子などを用いてもよい。さらに、前述の液晶表示部１３における表示とは、文字や記号、イラストにより、ユーザーに加熱調理器１００の動作条件や調理に参考となる関連情報を視覚的に知らせる動作をいう。本実施の形態１では、主に文字での表示を例に挙げて説明する。
【００１７】
前述の制御基板には、マイコンから構成された制御部１５（図４参照）が実装されている。インバーター基板には、スイッチング素子、整流回路、その他電子部品等から構成される左インバーター回路１７、右インバーター回路１８及び中央インバーター回路１９（図４参照）が実装されている。電源基板には、グリル・オーブン調理器７の庫内加熱部７ａに電力を供給する電源回路が実装されている。
【００１８】
ここで、前述した上面操作部５及び液晶表示部１３について、図３に基づいて説明する。
上面操作部５には、例えば図３に示すように、入力開始キー５ａ、メニューキー５ｂ、温度／焼き色設定キー５ｃ、時間設定キー５ｄが設けられている。これらのキーは、機械式のスイッチにより構成されている。
【００１９】
入力開始キー５ａは、メニュー選択の開始前に操作するキースイッチである。メニューキー５ｂは、調理メニューを選択するためのキースイッチである。このメニューキー５ｂのうち、頂点が上方向に向いた三角形（以降、「上三角形」とする）のキーでメニューを進めることができ、頂点が下方向に向いた三角形（以降、「下三角形」とする）のキーでメニューを戻すことができる。
【００２０】
温度／焼き色設定キー５ｃは、調理する温度や焼き色を設定するためのキースイッチである。上三角形のキーで温度を高くしたり焼き色を濃くしたりすることができ、下三角形のキーで温度を低くしたり焼き色を薄くしたりすることができる。
【００２１】
時間設定キー５ｄは、調理する時間を設定するためのキースイッチである。上三角形のキーで調理時間を長くすることができ、下三角形のキーで調理時間を短くすることができる。なお、本実施の形態１では、入力開始キー５ａ、メニューキー５ｂ、温度／焼き色設定キー５ｃ、時間設定キー５ｄを枠体３に配置したが、トッププレート２に配置してもよい。この場合、入力開始キー５ａ、メニューキー５ｂ、温度／焼き色設定キー５ｃ、時間設定キー５ｄは、静電スイッチのような静電容量式のタッチスイッチで構成される。
【００２２】
前述の液晶表示部１３は、調理メニュー等を表示する表示エリア１３ａ、調理する温度や焼き色を表示する表示エリア１３ｂ、調理する時間を表示する表示エリア１３ｃを有している。表示エリア１３ａは、メニューキー５ｂで選択された調理メニューを表示する。表示エリア１３ｂは、温度／焼き色設定キー５ｃにより設定された被調理物の調理温度や焼き色を表示する。表示エリア１３ｃには、時間設定キー５ｄによって設定された調理時間を表示する。
【００２３】
次に、加熱調理器１００の回路構成について、図４に示すブロック図に基づいて説明する。
【００２４】
制御部１５は、火力、調理メニュー、調理温度、調理時間等の加熱条件に応じて、左インバーター回路１７、右インバーター回路１８及び中央インバーター回路１９を制御し、また、火力、調理メニュー、調理温度、焼き色、調理時間等の加熱条件に応じて、庫内加熱部７ａに供給する電力を制御する。左インバーター回路１７は、制御部１５からの制御に基づいて、左誘導加熱コイル１０に高周波電力を供給する。右インバーター回路１８は、制御部１５からの制御に基づいて、右誘導加熱コイル１１に高周波電力を供給する。中央インバーター回路１９は、制御部１５からの制御に基づいて、中央誘導加熱コイル１２に高周波電力を供給する。また、制御部１５には、本発明における制御手段の機能を備えている。なお、前述の制御手段の機能については、図５〜図７を説明するときに詳述する。
【００２５】
記憶部１６は、左誘導加熱コイル１０、右誘導加熱コイル１１、中央誘導加熱コイル１２及びグリル・オーブン調理器７の操作に関わるキーワードの音声（波形）を記憶する記憶手段である。報知部２０は、制御部１５からの指示に基づいて音声を発するスピーカーである。音声入力部２１は、ユーザーから発話された操作に関わるキーワードの音声を電気信号（波形）に変換し、制御部１５に入力する。音声識別部２２は、制御部１５を介して入力される音声入力部２１からのキーワードの音声の波形と記憶部１６に記憶されたキーワードの音声の波形とが一致するか識別し、その結果を制御部１５に入力する。前述の音声識別部２２は、入力された音声の波形と記憶された音声の波形の一致率が一定以上のときに双方のキーワードが同一とする。なお、波形の一致率で双方のキーワードが同一か否かを識別する例を示したが、入力された音声の波形を解析し文字として起こし直し、その文字がキーワードと一致するときに、双方のキーワードが同一と判定するようにしてもよい。
【００２６】
前記のように構成された加熱調理器において、音声操作における基本動作を図４及び図５に基づいて説明する。
図５は本発明の実施の形態１に係る加熱調理器の音声操作における基本動作を示すフローチャートである。なお、図中に示すＳＴは、フローチャートのステップを表している。
【００２７】
まず、制御部１５は、ユーザーが左誘導加熱コイル１０、右誘導加熱コイル１１、中央誘導加熱コイル１２及びグリル・オーブン調理器７のうち何れかの加熱手段の操作に関わるキーワードの音声が音声入力部２１を通じて入力されると（ＳＴ１）、そのキーワードの音声を音声識別部２２に入力して、記憶部１６に登録されたユーザーか識別させる（ＳＴ２）。一方、音声識別部２２は、入力されたキーワードの音声が記憶部１６に登録されているか否かを検索し（ＳＴ３）、そのキーワードの音声と一致する音声が登録されているときには、登録済みのユーザーＡとして、その旨を制御部１５に通知する。また、音声識別部２２は、入力されたキーワードの音声と一致する音声がないときには、キーワードを発話したユーザーが記憶部１６に登録されていないと認識し、その旨を制御部１５に通知する。
【００２８】
一方、制御部１５は、音声識別部２２からの通知により、ユーザーＡと認識したときには、入力されたキーワードに関わる操作がユーザーＡに許可されているか否かを判定する（ＳＴ４）。制御部１５は、その操作が許可されているときには、キーワードに関わる操作を受け付けて加熱手段を制御する（ＳＴ５）。また、制御部１５は、操作が許可されていないときには、報知部２０又は液晶表示部１３の表示エリア１３ａ、もしくは双方を用いて、「その機能は操作できません」を報知する（ＳＴ１２）。
【００２９】
また、制御部１５は、ＳＴ３において、入力されたキーワードがどの操作とも関連付けられていないと判定したときには、報知部２０又は液晶表示部１３の表示エリア１３ａ、もしくは双方を用いて、「その機能は操作できません」を報知する（ＳＴ１２）。
【００３０】
なお、ユーザーの登録、及び登録したユーザーによる加熱手段の操作に関わるキーワードの登録、また、その操作の制限については、後述する図６のフローチャートを実行することで設定される。
【００３１】
制御部１５は、ＳＴ２において、音声識別部２２からの通知により、登録されたユーザーＡによるキーワードの音声でないときには、新規のユーザー登録が可能かどうかを判定する（ＳＴ６）。例えば、記憶部１６の容量の関係からユーザーの登録が３人までとした場合に、新規のユーザーが４人目の場合には、新規登録は不可となる。この場合、制御部１５は、報知部２０又は液晶表示部１３の表示エリア１３ａ、もしくは双方を用いて、「認証できません」を報知して（ＳＴ７）、音声操作ができないまま動作を終了する（ＳＴ１１）。
【００３２】
また、制御部１５は、新規のユーザー登録が可能なときには、報知部２０又は液晶表示部１３の表示エリア１３ａ、もしくは双方を用いて、「認証できません。新規登録が可能ですが、登録しますか？」を報知する（ＳＴ７）。そして、制御部１５は、新規のユーザー登録が選択されているか否かを判定し（ＳＴ８）、登録が選択されなかったときには、新規のユーザー登録を行うことなく終了する。一方、制御部１５は、新規のユーザー登録が選択されたときには、ユーザー登録設定へ移行する（ＳＴ９）。
【００３３】
なお、新規のユーザー登録が選択されたかどうかの判定は、上面操作部５のメニューキー５ｂの操作に基づいている。また、音声で加熱手段を加熱動作させているときには、どのキーワードで操作が行われているのかを液晶表示部１３の表示エリア１３ａに表示するようにしてもよい。このようにした場合、操作に使用するキーワードの忘却を防ぐことができる。
図６は本発明の実施の形態１におけるユーザー登録の動作を示すフローチャートである。
制御部１５は、メニューキー５ｂの操作によりユーザーの追加登録の設定指示を確認したとき（ＳＴ１３）、あるいは図５のＳＴ９からの移行によりユーザーの新規登録の設定を行うときには（ＳＴ２５）、ＳＴ１４に進む。制御部１５は、ＳＴ１３あるいはＳＴ２５の何れかの設定によりＳＴ１４に進んだ場合、報知部２０又は液晶表示部１３の表示エリア１３ａ、もしくは双方を用いて、「○○を発話してください」を報知する。前述の「○○」は、例えば、音声の識別がし易い「アイウエオ」である。
【００３４】
制御部１５は、音声（アイウエオ）が入力されると（ＳＴ１５）、音声識別部２２に対して登録されたユーザーＡの音声（アイウエオ）と同一かどうかを識別させる。制御部１５は、音声識別部２２により双方の音声（声紋）が同一でないと識別されたときには、入力された音声を発話したユーザーをユーザーＢとして記憶部１６に登録（更新）する（ＳＴ１６）。
【００３５】
一方、制御部１５は、ＳＴ１４において報知した後に、発話がなかったり、音声入力部２１に上手く音声が入力されないなど、音声信号が入力されない状態が一定時間以上続いたときには（ＳＴ２１）、報知部２０又は液晶表示部１３、もしくは両方を用いて、「登録を中止する旨、及び再度登録設定を促す旨」を報知し（ＳＴ２２）、登録を行うことなく動作を終了する。
【００３６】
また、制御部１５は、ユーザーＢとして記憶部１６に登録したときには、報知部２０又は液晶表示部１３、もしくは両方を用いて、ＳＴ１７に示すメッセージを報知する。このメッセージのうち「使用する機能を画面より選択」は、音声で操作が可能な機能を表示エリア１３ａに表示して選択させる。例えば、各誘導加熱コイル１０、１１、１２及びグリル・オーブン調理器７の加熱手段の全て、あるいは何れかの加熱手段を選択させる画面を表示する。続いて、加熱手段が選択されたときには、選択された加熱手段の操作、例えば「オン」、「オフ」又は「スタート」、「ストップ」や、「火力アップ」、「火力ダウン」等のキーワードを選択させる画面を表示する。また、各誘導加熱コイル１０、１１、１２においては、火力の強弱を指示する火力番号の「１、２、３・・・９、１０」の有無を選択させる画面を表示する。この選択は、メニューキー５ｂの操作により、あるいは音声入力部２１から要否の発話によって行われる。なお、前述したキーワードは、一例であって限定されるものではない。
【００３７】
また、制御部１５は、ＳＴ１７において、使用する機能の選択を促す前に、ユーザーの年齢を入力するように報知してもよい。例えば、１３歳未満かどうかを選択させ、１３歳未満の場合は「火力アップ」といったキーワードを発話しても火力の変更操作が無効となるように、ユーザーの操作を一部制限し、１３歳未満の子供においては、火力を上げるような危険な操作を行えないようにしてもよい。
【００３８】
制御部１５は、機能の選択が確定したかどうかを判定し（ＳＴ１８）、機能の選択が確定していないときには一定時間を経過したかどうかを判定する（ＳＴ２３）。制御部１５は、機機能の選択が確定する前に一定時間を経過したときには、報知部２０又は液晶表示部１３、もしくは両方を用いて、「登録を中止する旨、及び再度登録設定を促す旨」を報知し（ＳＴ２４）、キーワードの登録を行うことなく動作を終了する。
【００３９】
制御部１５は、一定時間が経過する前に機能の選択が確定したときには、選択された機能（操作）のキーワードをユーザーＢと関連付けて記憶部１６に登録する。そして、制御部１５は、報知部２０又は液晶表示部１３、もしくは両方を用いて、「使用する機能の選択が設定されました」を報知し（ＳＴ２４）、登録動作を終了する。
【００４０】
なお、ＳＴ１７において、加熱手段の操作に関わるキーワードの全てを選択するようにしたが、ユーザーにとって必要なキーワードのみを選択するようにしてもよい。
【００４１】
図７は本発明の実施の形態１における音声テストの動作を示すフローチャートである。
制御部１５は、ユーザー登録が終了すると、報知部２０又は液晶表示部１３、もしくは両方を用いて、「音声テストを行います」を報知し(ＳＴ２６)、音声テストを開始する。制御部１５は、加熱手段の操作に関わる各キーワードをそれぞれ複数回発話させ(ＳＴ２７)、その音声パターンを記憶部１６に登録する(ＳＴ２８)。即ちユーザー登録時に選択されたキーワードをそれぞれ複数回発話させる(ＳＴ２７)。
【００４２】
例えばＳＴ２７に示すように、中央誘導加熱コイル１２を指す『中央』、『火力』、『オン』を複数回発話させて、その音声パターンをユーザーＢと関連付けて記憶部１６に登録し、次いで、中央誘導加熱コイル１２の火力の強弱を指示する火力番号『１、２、３・・・９、１０』を複数回発話させて、その音声パターンをユーザーＢと関連付けて記憶部１６に登録する。制御部１５は、ユーザー登録時に選択されて登録された全てのキーワードの音声テストが終了すると、報知部２０又は液晶表示部１３、もしくは両方を用いて、「音声テストは終了しました」を報知し(ＳＴ２９)、音声テストの動作を終了する。
【００４３】
なお、図７のフローチャートでは、選択されたキーワードを複数回発話させてから記憶部１６に登録するようにしたが、ＳＴ２７とＳＴ２８との間に、図６に示すＳＴ１７、ＳＴ１８及びＳＴ２３、ＳＴ２４を挿入して、音声テスト時に機能（操作）の選択を行うようにしてもよい。図７のフローチャートに前述のＳＴを挿入した場合、図６のフローチャートにおいては、ＳＴ１７、ＳＴ１８及びＳＴ２３、ＳＴ２４の動作は不要となる。
【００４４】
また、キーワードの登録方法については、前述のように『中央』、『火力』、『オン』とキーワードの単語単位で登録するようにしたが、（１）全てのキーワードを登録、（２）単語の組合せで登録する方法でもよい。つまり、（１）の場合は、『中央誘導加熱コイルの火力をオン』という文章をキーワードとして登録する。（２）の場合は、『中央の火力をオン』をキーワードとして登録する。
【００４５】
以上のように実施の形態１によれば、加熱手段の操作に関わるキーワードの音声をユーザー自身の音声で登録するようにしているので、従来技術のように事前に登録されたキーワードの音声パターンにユーザーが合わせて発話する必要がない。しかも、ユーザーが発話するイントネーションや、方言などがあっても確実に加熱手段を操作することができる。また、ユーザーを追加登録できるようにしているので、音声での操作性を向上する加熱調理器を提供できる。
【００４６】
実施の形態２．
実施の形態１では、予め設定されたキーワードを発話させてユーザーの音声を記憶部１６に登録するようにしたが、実施の形態２は、予め設定されたキーワード以外のキーワードを追加できるようにしたものである。
図８は本発明の実施の形態２における新規のキーワードを登録するときの動作を示すフローチャートである。なお、実施の形態２に係る加熱調理器１００の構成は、制御部１５の機能を除いて実施の形態１と同様である。
【００４７】
実施の形態２においては、例えば、実施の形態１で火力を強くする操作のキーワードが「火力アップ」であった場合に、「火力アップ」に加えて、「火力強く」又は「火力上げる」というキーワードを追加登録できるようにしている。
【００４８】
制御部１５は、例えば図８に示すように、ユーザー登録あるいは音声テストが終了すると、報知部２０又は液晶表示部１３、もしくは両方を用いて、ＳＴ３３に示すメッセージを報知する(ＳＴ３３)。制御部１５は、上面操作部５により表示エリア１３ａに表示される登録キーワードのうち例えば「火力アップ」のキーワードが選択されると（ＳＴ３４）、報知部２０又は液晶表示部１３、もしくは両方を用いて、「新しいキーワードを発話してください」を報知する（ＳＴ３５）。
【００４９】
この報知により、ユーザーから「火力強く」又は「火力上げる」が発話されたときには、制御部１５は、その音声を新キーワードとして一時的に記憶部１６に保存する（ＳＴ３６）。そして、制御部１５は、報知部２０又は液晶表示部１３、もしくは両方を用いて、「確認のため、再度発話してください」を報知し（ＳＴ３７）、ユーザーに再度の発話を促す。
【００５０】
制御部１５は、その報知により、ユーザーから「火力強く」又は「火力上げる」のキーワードが発話されると、音声識別部２２に先に一時的に保存した新キーワードと、再度発話されたキーワードが同じかどうかを比較させる（ＳＴ３８）。制御部１５は、音声識別部２２から同一である旨の通知を受けたときには再度発話されたキーワードを登録キーワード「火力アップ」と関連づけて記憶部１６に登録する（ＳＴ３９）。そして、制御部１５は、報知部２０又は液晶表示部１３、もしくは両方を用いて、「新しいキーワードを追加しました」を報知し（ＳＴ４０）、新キーワードの登録動作を終了する。
【００５１】
一方、制御部１５は、ＳＴ３４において登録キーワードが一定時間を経過しても選択されなかったときには（ＳＴ４２）、報知部２０又は液晶表示部１３、もしくは両方を用いて、登録を中止する旨、及び再度登録設定を促す旨を報知し（ＳＴ４２）、新キーワードの登録動作を終了する。
【００５２】
また、制御部１５は、ＳＴ３６において一定時間を経過しても新キーワードが一時的に記憶部１６に保存されなかったときには（ＳＴ４３）、前記と同様に、登録を中止する旨、及び再度登録設定を促す旨を報知し（ＳＴ４４）、新キーワードの登録動作を終了する。
【００５３】
さらに、制御部１５は、ＳＴ３８において新キーワードと再度発話されたキーワードとが一定時間を経過しても比較されなかったときには（ＳＴ４５）、報知部２０又は液晶表示部１３、もしくは両方を用いて、前記と同様に、登録を中止する旨、及び再度登録設定を促す旨を報知し（ＳＴ４６）、新キーワードの登録動作を終了する。
【００５４】
このように実施の形態２によれば、ユーザー自身がよく使用するキーワード（単語）を新たに登録できるようにしているため、事前に登録された固定のキーワードをユーザーが覚えるのではなく、ユーザーのイメージに合った単語で操作が可能となり、より音声での操作の快適性が向上する加熱調理器を提供できる。
【００５５】
なお、実施の形態１、２では、加熱調理器として天板に調理容器９を載置する誘導加熱調理器を例に説明したが、加熱源として電気ヒータや、ガス等を用いた加熱調理器にも適用できる。また、電子レンジや炊飯器といった加熱調理器にも適用できる。
【符号の説明】
【００５６】
１  本体、２  トッププレート、２ａ  左加熱部、２ｂ  右加熱部、２ｃ  中央加熱部、２ｄ  表示窓、３  枠体、４  天板、５  上面操作部、５ａ  入力開始キー、５ｂ  メニューキー、５ｃ  温度／焼き色設定キー、５ｄ  時間設定キー、６  前面操作部、６ａ  電源スイッチ、７  グリル・オーブン調理器、７ａ  庫内加熱部、７ｂ  調理庫扉、９  調理容器、１０  左誘導加熱コイル、１１  右誘導加熱コイル、１２  中央誘導加熱コイル、１３  液晶表示部、１３ａ、１３ｂ、１３ｃ  表示エリア、１４  基板、１５  制御部、１６  記憶部、１７  左インバーター回路、１８  右インバーター回路、１９  中央インバーター回路、２０  報知部、２１  音声入力部、２２  音声識別部、１００  加熱調理器。
【図１】
2016186367.tif 000003
【図２】
2016186367.tif 000004
【図３】
2016186367.tif 000005
【図４】
2016186367.tif 000006
【図５】
2016186367.tif 000007
【図６】
2016186367.tif 000008
【図７】
2016186367.tif 000009
【図８】
2016186367.tif 000010